(57)【要約】【課題】  選択されたメンバーで構成されるグループ内での状態の傾向を、サービス享受者に提供し、コミュニケションの活性化を図ることができる流行情報通知システムおよび流行情報通知方法を提供する。【解決手段】  メディア状態監視部２１がメディア１０の状態の変更を検知すると、状態発行部２２は、プレゼンス情報を作成してプレゼンスサービス部３０に出力する。プレゼンス情報管理部３１は、プレゼンス情報を受信して記憶し、プレゼンスリスト管理部３２は、プレゼンス情報を含むプレゼンスリストを管理する。プレゼンスリストが更新された場合に、判定部４１は、ルール保持部４２が記憶する判定ルールに基づいて、プレゼンス情報が流行情報か否かを判定する。通知部４３は、判定部４１が流行情報を判定した場合に、流行情報を示す情報を受信者端末５０に出力する。【選択図】  図１
2006285383.tif 000002
【特許請求の範囲】
【請求項１】
被監視者の状態の傾向を判定し、判定結果を監視者端末に通知する流行情報通知システムであって、
監視者端末によって指定された被監視者を示す情報を予め記憶する被監視者情報記憶手段と、
自身の状態を示す情報を含む状態情報を作成する状態情報作成手段と、
前記被監視者情報記憶手段に記憶されている被監視者に対応させて前記状態情報作成手段が作成した状態情報を記憶する状態情報管理手段と、
予め判定規則を記憶し、前記状態情報管理手段に記憶されている状態情報が判定規則に合致するか否かを判定する流行情報判定手段と、
前記流行情報判定手段が合致すると判定した場合に、状態情報を被監視者の状態の傾向を示す流行情報として前記監視者端末に出力する通知手段と
を備えたことを特徴とする流行情報通知システム。
【請求項２】
被監視者情報記憶手段は、監視者を示す情報と被監視者を示す情報とを対応付けて予め記憶し、
流行情報判定手段は、監視者に対応する状態情報を対象として判定する
請求項１記載の流行情報通知システム。
【請求項３】
通知手段は、予め通知規則を記憶し、流行情報が通知規則に合致する場合に、流行情報を監視者端末に出力する
請求項１または請求項２記載の流行情報通知システム。
【請求項４】
流行情報を参照可能な参照媒体を制御する参照媒体制御手段を備え、
前記参照媒体制御手段は、流行情報判定手段が合致すると判定した場合に、流行情報を参照媒体に出力する
請求項１から請求項３のうちいずれかに記載の流行情報通知システム。
【請求項５】
通知手段と参照媒体制御手段とを制御する動作制御手段を備え、
前記動作制御手段は、予め動作規則を記憶し、流行情報が動作規則に合致する場合に、流行情報を通知手段および参照媒体に出力する
請求項４記載の流行情報通知システム。
【請求項６】
被監視者に関する情報を管理する被監視者情報管理手段を備え、
前記被監視者情報管理手段は、被監視者の特性を示す情報を記憶し、
流行情報判定手段は、被監視者の特性を示す情報と判定規則とに基づいて、状態情報を抽出して判定する
請求項１から請求項４のうちいずれかに記載の流行情報通知システム。
【請求項７】
被監視者の状態の傾向を判定し、判定結果を監視者端末に通知する流行情報通知方法であって、
指定された被監視者を示す情報を予め記憶し、
状態を示す情報を含む状態情報を作成し、
被監視者に対応させて前記状態情報を記憶し、
予め判定規則を記憶し、前記状態情報が判定規則に合致するか否かを判定し、
前記流行情報判定手段が合致すると判定した場合に、状態情報を被監視者の状態の傾向を示す流行情報として監視者端末に出力する
ことを特徴とする流行情報通知方法。
【発明の詳細な説明】
【技術分野】
【０００１】
本発明は、選択されたメンバーで構成されるグループ内での状態の傾向を提供する流行情報通知システムおよび流行情報通知方法に関する。
【背景技術】
【０００２】
ユーザの状態情報（プレゼンス情報）を管理するプレゼンスシステムが知られている。プレゼンスシステムは、被監視者のプレゼンス情報を作成するプレゼンティティと、プレゼンス情報を管理するプレゼンスサービス部と、ウォッチャと呼ばれる状態監視者がプレゼンス情報を受信する受信者端末とを含む。
【０００３】
ウォッチャは、全てのプレゼンティティのプレゼンス情報を受け付けるのではなく、指定したプレゼンティティのプレゼンス情報を受け付ける。ウォッチャが指定したプレゼンティティは、バディ（被監視者）と称される。ウォッチャは、バディを示すバディリスト（被監視者リスト）を作成し、バディリストに基づいてバディのプレゼンス情報を取得する。プレゼンスサービス部は、バディリストに示されたバディのプレゼンス情報（プレゼンスリスト）をウォッチャに配信する。なお、プレゼンスサービス部は、全てのバディのプレゼンス情報をウォッチャに配信するのではなく、ウォッチャへのプレゼンス情報の配信を許可したバディのプレゼンス情報のみをウォッチャに配信する。一般に、プレゼンス情報が更新された場合に、該当するプレゼンティティを監視しているウォッチャに、プレゼンス情報が配信される。なお、プレゼンスシステムの基本的なアーキテクチャは、ＲＦＣ（Ｒｅｑｕｅｓｔ  Ｆｏｒ  Ｃｏｍｍｅｎｔｓ）２７７８に示されている。
【０００４】
なお、情報端末装置を携帯しているユーザの位置を把握し、把握した位置を利用した情報提供サービスを実施するマルチメデア情報配信システムが提供されている（例えば、特許文献１参照）。
【０００５】
【特許文献１】特開２００２−１５２１５号公報（段落００２３−００３４）
【発明の開示】
【発明が解決しようとする課題】
【０００６】
各個人が視聴するテレビ番組や雑誌などのメディアからの情報が、友人との会話の話題になる場合があるが、その情報について全く知らない場合、話題についていくことができずコミュニケーションの輪から外れてしまう可能性がある。
【０００７】
しかし、特許文献１に記載された方式は、一般的な統計情報として混雑度や人気度などの情報を提供するため、特定の仲間内での活動傾向は提供されず、必ずしも友人間でのコミュニケーションの助けにならない。
【０００８】
そこで、本発明は、選択されたメンバーで構成されるグループ内での状態の傾向を、サービス享受者に提供し、コミュニケションの活性化を図ることができる流行情報通知システムおよび流行情報通知方法を提供することを目的とする。
【課題を解決するための手段】
【０００９】
本発明による流行情報通知システムは、被監視者の状態の傾向（例えば、嗜好）を判定し、判定結果を監視者端末に通知する流行情報通知システムであって、監視者端末によって指定された被監視者を示す情報を予め記憶する被監視者情報記憶手段と、自身の状態を示す情報（例えば、嗜好や嗜好を把握可能な情報）を含む状態情報を作成する状態情報作成手段と、被監視者情報記憶手段に記憶されている被監視者に対応させて状態情報作成手段が作成した状態情報を記憶する状態情報管理手段と、予め判定規則を記憶し、状態情報管理手段に記憶されている状態情報が判定規則に合致するか否かを判定する流行情報判定手段と、流行情報判定手段が合致すると判定した場合に、状態情報を被監視者の状態の傾向を示す流行情報として監視者端末に出力する通知手段とを備えたことを特徴とする。
【００１０】
被監視者情報記憶手段は、監視者を示す情報と被監視者を示す情報とを対応付けて予め記憶し、流行情報判定手段は、監視者に対応する状態情報を対象として判定してもよい。そのような構成によれば、各ウォッチャが指定するバディのプレゼンス情報に基づいて、バディの活動の傾向を求め、ウォッチャに通知することにより、指定したバディで構成されるグループ内での状態の傾向をすばやく提供することができる。
【００１１】
通知手段は、予め通知規則を記憶し、流行情報が通知規則に合致する場合に、流行情報を監視者端末に出力してもよい。そのような構成によれば、ウォッチャにとって必要な流行情報を通知することができる。
【００１２】
流行情報を参照可能な参照媒体を制御する参照媒体制御手段を備え、参照媒体制御手段は、流行情報判定手段が合致すると判定した場合に、流行情報を参照媒体に出力してもよい。そのような構成によれば、流行情報を通知するだけでなく、即座に参照する手段を提供することができる。
【００１３】
通知手段と参照媒体制御手段とを制御する動作制御手段を備え、動作制御手段は、予め動作規則を記憶し、流行情報が動作規則に合致する場合に、流行情報を通知手段および参照媒体に出力してもよい。そのような構成によれば、通知部およびメディア制御部を独立して動作させるのではなく、連係して動作させることができる。
【００１４】
被監視者に関する情報を管理する被監視者情報管理手段を備え、被監視者情報管理手段は、被監視者の特性を示す情報を記憶し、流行情報判定手段は、被監視者の特性を示す情報と判定規則とに基づいて、状態情報を抽出して判定してもよい。そのような構成によれば、流行情報の判定をプレゼンティティの特性を考慮したルールに基づいて行うことができる。
【００１５】
本発明による流行情報通知方法は、被監視者の状態の傾向を判定し、判定結果を監視者端末に通知する流行情報通知方法であって、指定された被監視者を示す情報を予め記憶し、状態を示す情報を含む状態情報を作成し、被監視者に対応させて状態情報を記憶し、予め判定規則を記憶し、状態情報が判定規則に合致するか否かを判定し、流行情報判定手段が合致すると判定した場合に、状態情報を被監視者の状態の傾向を示す流行情報として監視者端末に出力することを特徴とする。
【発明の効果】
【００１６】
本発明によれば、各ウォッチャが指定するバディのプレゼンス情報に基づいて、バディの活動の傾向を求め、ウォッチャに通知することにより、指定したバディで構成されるグループ内での状態の傾向をすばやく提供することができるという効果や、ウォッチャにとって必要な流行情報を通知することができるという効果がある。また、流行情報を通知するだけでなく、即座に参照する手段を提供することができ、通知部およびメディア制御部を独立して動作させるのではなく、連係して動作させることができる。また、流行情報の判定をプレゼンティティの特性を考慮したルールに基づいて行うことができる。
【発明を実施するための最良の形態】
【００１７】
実施の形態１．
以下、本発明の第１の実施の形態を図面を参照して説明する。図１は、本発明による流行情報通知システムの第１の実施の形態を示すブロック図である。図１に示す流行情報通知システムは、メディア１０と、情報提供者端末（プレゼンティティ）２０と、プレゼンスサービス部３０と、流行情報監視手段４０と、受信者端末（ウォッチャ）５０とを備える。情報提供者端末２０および受信者端末とは、それぞれ、パーソナルコンピュータなどで実現される。
【００１８】
メディア１０は、情報を伝達するための媒体であり、バディが参照している媒体である。また、メディア１０は、メディア情報をプレゼンティティ２０に出力する。メディア情報は、メディア１０が伝達する情報を特定可能な情報である。例えば、メディア１０がテレビジョン受像機およびテレビジョンモニタである場合、メディア情報は、テレビ番組を特定可能なＥＰＧ（Ｅｌｅｃｔｒｉｃ  Ｐｒｏｇｒａｍ  Ｇｕｉｄｅ）の番組識別子などの情報である。また、メディア１０が雑誌である場合、メディア情報は、雑誌記事を示すバーコードや２次元バーコードなどが示す情報である。
【００１９】
プレゼンティティ２０は、メディア状態監視部２１と、状態発行部２２とを備える。メディア状態監視部２１は、メディア１０の状態を検知する。メディア状態監視部２１および状態発行部２２は、例えばパーソナルコンピュータにおけるＣＰＵが、それらの機能を実現するためのプログラムを実行することによって実現される。
【００２０】
状態発行部２２は、メディア状態監視部２１がメディア１０の状態の変更を検知した場合に、プレゼンス情報を作成してプレゼンスサービス部３０に出力する。図２は、プレゼンス情報の例を示す説明図である。図２に示すように、プレゼンス情報は、「プレゼンティティ特定情報」と「メディア情報」とを含む情報である。「プレゼンティティ特定情報」は、プレゼンティティ名などのプレゼンティティ２０を特定可能な情報である。「メディア情報」は、メディア１０を特定可能な情報であり、情報の媒体や区分を示す「メディア識別子」と、情報を特定可能な「情報識別子」とを含む情報である。
【００２１】
例えば、メディア１０がテレビ番組である場合、メディア状態監視部２１および状態発行部２２は、視聴率測定装置などで実現される。また、例えば、メディア１０が雑誌記事を示すバーコードや２次元バーコードである場合、メディア状態監視部２１および状態発行部２２は、バーコードや２次元バーコードを読み取るバーコードリーダなどで実現される。
【００２２】
プレゼンスサービス部３０は、プレゼンス情報管理部３１と、プレゼンスリスト管理部３２とを備える。プレゼンス情報管理部３１は、プレゼンティティ２０によって出力されたプレゼンス情報を受信して記憶する。
【００２３】
プレゼンスリスト管理部３２は、プレゼンスリストを管理する。プレゼンスリストは、各ウォッチャが指定したプレゼンティティ毎のプレゼンス情報を示す情報である。図３は、プレゼンスリストの例を示す説明図である。図３に示すように、プレゼンスリストは、「受信者端末特定情報」と「プレゼンス情報」とを含む情報である。「受信者端末特定情報」は、端末ＩＤなどの受信者端末を特定可能な情報である。
【００２４】
流行情報監視手段４０は、判定部４１と、ルール保持部４２と、通知部４３とを備える。
【００２５】
判定部４１は、プレゼンスリスト管理部３２が管理するプレゼンスリストにおける「メディア情報」が変更された場合に、対応する「受信者端末特定情報」を取得する。判定部４１は、取得した「受信者端末特定情報」に対応する「メディア情報」を比較し、ルール保持部４２が記憶する判定ルールに基づいて、変更された「メディア情報」が流行情報か否かを判定する。
【００２６】
ルール保持部４２は、判定部４１が流行情報の判定を行うための判定ルールを記憶する。判定ルールは、例えば、プレゼンティティ毎のメディア情報が、過半数を占める情報である場合に、そのメディア情報を流行情報と判定する、などのルールである。
【００２７】
通知部４３は、判定部４１が流行情報を判定した場合に、流行情報を示す情報を受信者端末５０に出力する。
【００２８】
受信者端末５０は、通知部４３が出力する流行情報を示す情報を受信して表示する。
【００２９】
流行情報通知システムは、プレゼンスサーバを利用するサーバ集中管理方式や分散管理方式で実現される。
【００３０】
図４は、サーバ集中管理方式による流行情報通知システムの構成例を示すブロック図である。図４に示すサーバ集中管理方式による流行情報通知システムでは、受信者端末５０が、通知部５１と、個別プレゼンスリスト管理部５２とを備える。受信者端末５０がパーソナルコンピュータで実現される場合には、通知部５１および個別プレゼンスリスト管理部５２は、ＣＰＵが、それらの機能を実現するためのプログラムを実行することによって実現される。
【００３１】
図４に示すサーバ集中管理方式による流行情報通知システムでは、プレゼンス情報管理部３１、プレゼンスリスト管理部３２および流行情報監視手段４０がプレゼンスサーバにおいて集中管理される。従って、流行情報監視手段４０における判定部４１や通知部４３は、ＣＰＵが、それらの機能を実現するためのプログラムを実行することによって実現される。図４に示す構成において、受信者端末５０とプレゼンスサーバとはインターネットなどの通信ネットワークを介して通信を行う。また、情報提供者端末２０とプレゼンスサーバとはインターネットなどの通信ネットワークを介して通信を行う。よって、受信者端末５０における通知部５１、プレゼンスサーバにおける通知部４３とプレゼンス情報管理部３１、および情報提供者端末２０における情報発行部２１は、インターネットなどの通信ネットワークに対するインタフェース部を含む。なお、通知部５１と、個別プレゼンスリスト管理部５２とは、別の端末に備えられてもよい。また、個別プレゼンスリスト管理部５２はなくてもよい。なお、その他の構成は、図１に示す構成と同様であるため、説明を省略する。
【００３２】
受信者端末５０において、通知部５１は、例えば液晶表示装置や有機ＥＬ（Ｅｌｅｃｔｒｏｌｕｍｉｎｅｓｃｅｎｃｅ）ディスプレイ装置等のディスプレイ装置も含み、情報を表示する。通知部５１は、判定部４１が変更されたメディア情報を流行情報と判定した場合に、通知部４３が出力した流行情報を示す情報を受信して、表示する。
【００３３】
個別プレゼンスリスト管理部５２は、指定したプレゼンティティ毎のプレゼンス情報を示す個別プレゼンスリストを管理する。個別プレゼンスリスト管理部５２は、プレゼンスリスト管理部３２が管理するプレゼンスリストのうち、自身を示す受信者端末特定情報を有するプレゼンス情報を取得する。すなわち、多数のウォッチャが存在する場合には、プレゼンスサーバにおけるプレゼンスリスト管理部３２は各ウォッチャについてのプレゼンスリストを管理するが、個別プレゼンスリスト管理部５２は、それが搭載されている受信者端末（ウォッチャ）５０についてのプレゼンスリストを管理する。図５は、個別プレゼンスリストの例を示す説明図である。図５に示すように、個別プレゼンスリストは、「プレゼンティティ特定情報」と「メディア情報」とを含む情報である。
【００３４】
図６は、サーバ集中管理方式による流行情報通知システムの他の構成例を示すブロック図である。図６に示すサーバ集中管理方式による流行情報通知システムでは、受信者端末５０が、流行情報監視手段４０と、個別プレゼンスリスト管理部５２とを備える。なお、その他の構成は、図４に示す構成と同様であるため、説明を省略する。
【００３５】
図６に示すサーバ集中管理方式による流行情報通知システムでは、プレゼンス情報管理部３１とプレゼンスリスト管理部３２とがプレゼンスサーバにおいて一元管理され、流行情報監視手段４０は受信者端末５０に備えられる。
【００３６】
判定部４１は、個別プレゼンスリスト管理部５２が管理する個別プレゼンスリストにおける「メディア情報」が変更された場合に、「メディア情報」を比較し、ルール保持部４２が記憶するルールに基づいて、変更された「メディア情報」が流行情報か否かを判定する。
【００３７】
通知部４３は、例えば液晶表示装置や有機ＥＬディスプレイ装置等のディスプレイ装置によって実現され、情報を表示する。判定部４１が変更されたメディア情報を流行情報と判定した場合に、流行情報を示す情報を出力して表示する。
【００３８】
図７は、分散管理方式による流行情報通知システムの構成例を示すブロック図である。図７に示す分散管理方式による流行情報通知システムは、メディア１０と、プレゼンティティ２０と、受信者端末５０とを備える。
【００３９】
プレゼンティティ２０は、メディア状態監視部２１と、状態発行部２２と、プレゼンス情報管理部３１とを備える。この場合には、受信者端末５０における個別プレゼンスリスト管理部５２は、インターネットなどの通信ネットワークを介して通信を行うためのインタフェース部を有していることになる。なお、その他の構成は、図６に示す構成と同様であるため、説明を省略する。
【００４０】
プレゼンス情報管理部３１は、プレゼンス情報管理部３１が含まれるプレゼンティティ２０の状態発行部２２が出力したプレゼンス情報を受信して記憶する。
【００４１】
個別プレゼンスリスト管理部５２は、プレゼンス情報管理部３１が記憶するプレゼンス情報を取得し、個別プレゼンスリストとして管理する。
【００４２】
第１の実施の形態において、状態情報作成手段は、プレゼンティティ２０によって実現される。流行情報判定手段は、判定部４１によって実現される。通知手段は、通知部４３によって実現される。状態情報管理手段は、プレゼンスサービス部３０によって実現される。
【００４３】
次に、図１を参照して、第１の実施の形態の動作について説明する。以下の説明では、メディア１０、プレゼンティティ２０および受信者端末５０が、それぞれ１台ずつである場合について説明する。
【００４４】
流行情報通知システムを利用するにあたって、バディは自身に関する情報を登録する。バディによって操作されるプレゼンティティ２０は、自身を特定するための「プレゼンティティ特定情報」を含む情報をプレゼンス情報管理部３１に出力する。また、ウォッチャは、監視対象であるバディを指定する。ウォッチャによって操作される受信者端末５０は、自身を特定するための「受信者端末特定情報」と、指定するバディを示す「プレゼンティティ特定情報」とを含む情報をプレゼンスリスト管理部３２に出力する。プレゼンスリスト管理部３２は、プレゼンスリストに、受信した「受信者端末特定情報」と「プレゼンティティ特定情報」とを登録する。よって、監視者端末によって指定された被監視者を示す情報を予め記憶する被監視者情報記憶手段は、プレゼンスリスト管理部３２（具体的には、プレゼンスリスト管理部３２が使用する記憶部）の一部として実現されていることになる。なお、受信者端末５０が「プレゼンティティ特定情報」を指定する際は、プレゼンス情報管理部３１に登録されている「プレゼンティティ特定情報」の中から選択してもよい。
【００４５】
以下、バディおよびウォッチャによる登録がされているものとして説明する。まず、プレゼンティティ２０の動作について説明する。新しいメディア情報が提供されるなどして、メディア状態監視部２１が、バディが参照するメディア１０の状態の変更を検知すると、状態発行部２２は、プレゼンス情報を作成してプレゼンスサービス部３０に出力する。例えば、プレゼンティティ特定情報”Ｐ１０”で特定されるプレゼンティティ２０（以下、プレゼンティティＰ１０と表記する）が、メディア識別子が”Ｍ”、情報識別子が”Ｉ”であるメディア情報を含むプレゼンス情報を作成し、プレゼンスサービス部３０に出力する。
【００４６】
プレゼンス情報管理部３１は、プレゼンティティ２０の最新のプレゼンス情報を受信して記憶する。また、プレゼンスリスト管理部３２は、プレゼンティティ特定情報に基づいて、プレゼンティティ２０の最新のプレゼンス情報をプレゼンスリストに反映する。
【００４７】
例えば、プレゼンティティＰ１０を監視している受信者端末５０が、受信者端末特定情報”Ｗ１”で示される場合、受信者端末特定情報が”Ｗ１”、プレゼンティティ特定情報が”Ｐ１０”であるデータのメディア情報が更新される。
【００４８】
次に、流行情報監視手段４０の動作について説明する。判定部４１は、プレゼンスリスト管理部３２が管理するプレゼンスリストが更新された場合に、ルール保持部４２が記憶する判定ルールに基づいて、更新されたメディア情報が流行情報か否かを判定する。また、通知部４３は、判定部４１が流行情報と判定した場合に、流行情報の参照を促す情報を受信者端末５０に出力する。
【００４９】
例えば、メディア識別子が”Ｍ”、情報識別子が”Ｉ”であるメディア情報が流行情報であると判定されると、通知部４３は、受信者端末特定情報が”Ｗ１”である受信者端末５０（以下、受信者端末Ｗ１と表記する）に、メディア識別子が”Ｍ”、情報識別子が”Ｉ”であるメディア情報の参照を促す情報を出力する。
【００５０】
次に、受信者端末５０の動作について説明する。受信者端末５０は、通知部４３が出力する流行情報を示す情報を受信して表示する。
【００５１】
例えば、受信者端末Ｗ１は、メディア識別子が”Ｍ”、情報識別子が”Ｉ”であるメディア情報を受信して表示する。
【００５２】
次に、図８を参照して、メディアおよびプレゼンティティが複数ある場合における第１の実施の形態の動作について説明する。図８は、メディアおよびプレゼンティティが複数ある場合における流行情報通知システムの構成例を示すブロック図である。図８に示す例では、図３に示す例と比較して、メディア１０はメディア１０−１〜１０−３、プレゼンティティ２０はプレゼンティティ２０−１〜２０−２、メディア状態監視部２１はメディア状態監視部２１−１〜２１−３、状態発行部２２は状態発行部２２−１〜２２−３と複数設置される。
【００５３】
以下、受信者端末Ｗ１が、プレゼンティティＰ１，Ｐ２，Ｐ３の状態を監視している場合を例示して説明する。また、判定ルールとして、プレゼンティティ毎のメディア情報が、過半数を占める情報である場合に、そのメディア情報を流行情報と判定するというルールがルール保持部４２に登録されているものとする。
【００５４】
まず、プレゼンティティＰ１の動作について説明する。新しいメディア情報としてテレビ番組”Ｔａ”が提供され、メディア状態監視部２１−１がメディア１０−１の状態の変更を検知すると、状態発行部２２−１は、メディア識別子が”ＴＶ”、情報識別子が”Ｔａ”であるメディア情報を含むプレゼンス情報を作成し、プレゼンスサービス部３０に出力する。
【００５５】
プレゼンス情報管理部３１は、プレゼンティティＰ１の最新のプレゼンス情報として、メディア識別子が”ＴＶ”、情報識別子が”Ｔａ”であるメディア情報を含むプレゼンス情報を記憶する（図２参照）。
【００５６】
また、プレゼンスリスト管理部３２は、受信者端末特定情報が”Ｗ１”、プレゼンティティ特定情報が”Ｐ１”であるデータのメディア識別子を”ＴＶ”に、情報識別子を”Ｔａ”に更新する（図３参照）。また、プレゼンスリスト管理部３２は、受信者端末Ｗ１に、プレゼンティティ特定情報が”Ｐ１”、メディア識別子が”ＴＶ”、情報識別子が”Ｔａ”であるプレゼンス情報を送信する。
【００５７】
次に、受信者端末Ｗ１の動作について説明する。受信者端末Ｗ１は、プレゼンティティ特定情報が”Ｐ１”、メディア識別子が”ＴＶ”、情報識別子が”Ｔａ”であるプレゼンス情報を受信し、個別プレゼンスリスト管理部５２を更新する（図５参照）。
【００５８】
判定部４１は、ルール保持部４２が記憶する判定ルールに基づいて、更新されたメディア情報が流行情報か否かを判定する。ここで、プレゼンティティＰ２，Ｐ３においては、バディがメディアを参照しておらず、それぞれメディア１０−２，１０−３の状態を検知していないものとすると、個別プレゼンスリストにおけるプレゼンティティＰ２，Ｐ３のメディア情報は入力されない。したがって、メディア識別子が”ＴＶ”、情報識別子が”Ｔａ”であるメディア情報を参照しているのはプレゼンティティＰ１のみと判定され、受信者端末Ｗ１におけるプレゼンティティ毎のメディア情報が、過半数を占める情報ではないと判定されることから、メディア識別子が”ＴＶ”、情報識別子が”Ｔａ”であるメディア情報は流行情報とは判定されない。
【００５９】
次に、プレゼンティティＰ２の動作について説明する。新しいメディア情報としてテレビ番組”Ｔｂ”が提供され、メディア状態監視部２１−２がメディア１０−２の状態の変更を検知すると、状態発行部２２−２は、メディア識別子が”ＴＶ”、情報識別子が”Ｔｂ”であるメディア情報を含むプレゼンス情報を作成し、プレゼンスサービス部３０に出力する。
【００６０】
プレゼンス情報管理部３１は、プレゼンティティＰ２の最新のプレゼンス情報として、メディア識別子が”ＴＶ”、情報識別子が”Ｔｂ”であるメディア情報を含むプレゼンス情報を記憶する（図２参照）。
【００６１】
また、プレゼンスリスト管理部３２は、受信者端末特定情報が”Ｗ１”、プレゼンティティ特定情報が”Ｐ２”であるデータのメディア識別子を”ＴＶ”に、情報識別子を”Ｔｂ”に更新する（図３参照）。また、プレゼンスリスト管理部３２は、受信者端末Ｗ１に、プレゼンティティ特定情報が”Ｐ２”、メディア識別子が”ＴＶ”、情報識別子が”Ｔｂ”であるプレゼンス情報を送信する。
【００６２】
次に、受信者端末Ｗ１の動作について説明する。受信者端末Ｗ１は、プレゼンティティ特定情報が”Ｐ２”、メディア識別子が”ＴＶ”、情報識別子が”Ｔｂ”であるプレゼンス情報を受信し、個別プレゼンスリスト管理部５２を更新する（図５参照）。
【００６３】
判定部４１は、ルール保持部４２が記憶する判定ルールに基づいて、更新されたメディア情報が流行情報か否かを判定する。ここで、プレゼンティティＰ１のメディア情報は、メディア識別子が”ＴＶ”、情報識別子が”Ｔａ”である。また、プレゼンティティＰ３においては、バディがメディアを参照しておらず、メディア１０−３の状態を検知していないものとすると、個別プレゼンスリストにおけるプレゼンティティＰ３のメディア情報は入力されない。したがって、メディア識別子が”ＴＶ”、情報識別子が”Ｔｂ”であるメディア情報を参照しているのはプレゼンティティＰ２のみと判定され、受信者端末Ｗ１におけるプレゼンティティ毎のメディア情報のうち、過半数を占める情報ではないと判定されることから、メディア識別子が”ＴＶ”、情報識別子が”Ｔｂ”であるメディア情報は流行情報とは判定されない。
【００６４】
次に、プレゼンティティＰ３の動作について説明する。新しいメディア情報としてテレビ番組”Ｔａ”が提供され、メディア状態監視部２１−３がメディア１０−３の状態の変更を検知すると、状態発行部２２−３は、メディア識別子が”ＴＶ”、情報識別子が”Ｔａ”であるメディア情報を含むプレゼンス情報を作成し、プレゼンスサービス部３０に出力する。
【００６５】
プレゼンス情報管理部３１は、プレゼンティティＰ３の最新のプレゼンス情報として、メディア識別子が”ＴＶ”、情報識別子が”Ｔａ”であるメディア情報を含むプレゼンス情報を記憶する（図２参照）。
【００６６】
また、プレゼンスリスト管理部３２は、受信者端末特定情報が”Ｗ１”、プレゼンティティ特定情報が”Ｐ３”であるデータのメディア識別子を”ＴＶ”に、情報識別子を”Ｔａ”に更新する（図３参照）。また、プレゼンスリスト管理部３２は、受信者端末Ｗ１に、プレゼンティティ特定情報が”Ｐ３”、メディア識別子が”ＴＶ”、情報識別子が”Ｔａ”であるプレゼンス情報を送信する。
【００６７】
次に、受信者端末Ｗ１の動作について説明する。受信者端末Ｗ１は、プレゼンティティ特定情報が”Ｐ３”、メディア識別子が”ＴＶ”、情報識別子が”Ｔａ”であるプレゼンス情報を受信し、個別プレゼンスリスト管理部５２を更新する（図５参照）。
【００６８】
判定部４１は、ルール保持部４２が記憶する判定ルールに基づいて、更新されたメディア情報が流行情報か否かを判定する。ここで、プレゼンティティＰ１のメディア情報は、メディア識別子が”ＴＶ”、情報識別子が”Ｔａ”であり、プレゼンティティＰ２のメディア情報は、メディア識別子が”ＴＶ”、情報識別子が”Ｔｂ”である。したがって、メディア識別子が”ＴＶ”、情報識別子が”Ｔａ”であるメディア情報を参照しているのはプレゼンティティＰ１，Ｐ３と判定され、受信者端末Ｗ１におけるプレゼンティティ毎のメディア情報のうち、過半数を占める情報であると判定されることから、メディア識別子が”ＴＶ”、情報識別子が”Ｔａ”であるメディア情報は流行情報と判定される。
【００６９】
判定部４１において、メディア識別子が”ＴＶ”、情報識別子が”Ｔａ”であるメディア情報が流行情報であると判定されると、通知部４３は、例えば、テレビ番組”Ｔａ”を参照するように促すダイアログ画面を表示する。
【００７０】
以上に説明したように、上記の第１の実施の形態によれば、各ウォッチャが指定するバディのプレゼンス情報に基づいて、バディの活動の傾向を求め、ウォッチャに通知することにより、指定したバディで構成されるグループ内での状態の傾向をすばやく提供することができる。例えば、仲間が視聴しているテレビ番組が何かをモニタリングし、仲間の大半が視聴しているテレビ番組を確認することにより、仲間との話題の共通化を図り、コミュニケーションの活性化を促進することができるという効果がある。
【００７１】
実施の形態２．
次に、本発明の第２の実施の形態を図面を参照して説明する。図９は、本発明による流行情報通知システムの第２の実施の形態を示すブロック図である。図９に示す流行情報通知システムでは、流行情報監視手段４０が新たに通知ルール保持部４４を備える。なお、流行情報通知システムのその他の構成は、第１の実施の形態における構成（図１参照。）と同様であるため、説明を省略する。
【００７２】
第２の実施の形態において、通知手段は、通知部４３および通知ルール保持部４４によって実現される。
【００７３】
通知ルール保持部４４は、通知部４３が通知を行うか否かを判定するための通知判定ルールを記憶する。例えば、受信者端末５０がすでにその流行情報を参照している場合は、通知を行わないと判定する、などのルールである。
【００７４】
通知部４３は、判定部４１が流行情報を判定した場合に、通知判定ルールに基づいて流行情報を通知するか否かを判定し、通知すると判定した場合に、流行情報を示す情報を受信者端末５０に出力する。
【００７５】
以上に説明したように、上記の第２の実施の形態によれば、第１の実施の形態による効果に加えて、ウォッチャにとって必要な流行情報を通知することができるという効果がある。
【００７６】
実施の形態３．
次に、本発明の第３の実施の形態を図面を参照して説明する。図１０は、本発明による流行情報通知システムの第３の実施の形態を示すブロック図である。図１０に示す流行情報通知システムは、メディア１１を備えるとともに、流行情報監視手段４０が、新たにメディア制御部４５を備える。なお、流行情報通知システムのその他の構成は、第１の実施の形態における構成（図１参照。）と同様であるため、説明を省略する。
【００７７】
第３の実施の形態において、参照媒体制御手段は、メディア制御部４５によって実現される。
【００７８】
メディア１１は、受信者端末５０が管理する媒体であり、ウォッチャが流行情報を参照するための媒体である。
【００７９】
メディア制御部４５は、メディア１１を制御する処理を実行する機能を有する。メディア制御部４５は、判定部４１が流行情報と判定した場合に、流行情報が示す情報を実際にメディア１１に提示する。
【００８０】
例えば、流行情報がテレビ番組”Ｔａ”を示し、メディア１１がテレビジョン受像機およびテレビジョンモニタである場合に、メディア制御部４５は、テレビ番組をメディア１１に表示させる。また、メディア１１がビデオテープレコーダなどの録画装置である場合に、メディア制御部４５は、テレビ番組をメディア１１に自動的に録画する処理を実行する。
【００８１】
なお、プレゼンティティ２０と受信者端末５０が共存する場合には、プレゼンティティ２０が管理するメディア１０と受信者端末５０が管理するメディア１１とは、同一のメディアであってもよい。
【００８２】
以上に説明したように、上記の第３の実施の形態によれば、第１の実施の形態および第２の実施の形態による効果に加えて、流行情報を通知するだけでなく、即座に参照する手段を提供することができる。
【００８３】
実施の形態４．
次に、本発明の第４の実施の形態を図面を参照して説明する。図１１は、本発明による流行情報通知システムの第４の実施の形態を示すブロック図である。図１１に示す流行情報通知システムでは、流行情報監視手段４０が、新たに動作制御部４６と、動作ルール保持部４７とを備える。なお、流行情報通知システムのその他の構成は、第３の実施の形態における構成（図１０参照。）と同様であるため、説明を省略する。
【００８４】
第４の実施の形態において、動作制御手段は、動作制御部４６および動作ルール保持部４７によって実現される。
【００８５】
動作制御部４６は、動作ルール保持部４７が記憶する動作ルールに基づいて、通知部４３およびメディア制御部４５の動作を制御する。
【００８６】
動作ルール保持部４７は、動作制御部４６が通知部４３およびメディア制御部４５の動作を制御するための動作ルールを記憶する。例えば、メディア１１がテレビジョン受像機、テレビジョンモニタおよびビデオテープレコーダである場合、動作ルールは、他のテレビ番組を視聴している場合には、通知部４３は通知を行わうことなく流行情報が示すテレビ番組を自動的に録画する、などのルールである。
【００８７】
以上に説明したように、上記の第４の実施の形態によれば、第１の実施の形態から第３の実施の形態による効果に加えて、通知部４３およびメディア制御部４５を独立して動作させるのではなく、連係して動作させることができる。
【００８８】
実施の形態５．
次に、本発明の第５の実施の形態を図面を参照して説明する。図１２は、本発明による流行情報通知システムの第５の実施の形態を示すブロック図である。図１２に示す流行情報通知システムでは、プレゼンスサービス部３０が、新たにユーザプロファイル管理部３３を備える。なお、流行情報通知システムのその他の構成は、第１の実施の形態における構成（図１参照。）と同様であるため、説明を省略する。
【００８９】
第５の実施の形態において、被監視者情報管理手段は、ユーザプロファイル管理部３３によって実現される。
【００９０】
ユーザプロファイル管理部３３は、バディに関する情報としてユーザプロファイル情報を記憶し、管理する。ユーザプロファイル情報は、例えば、「プレゼンティティ特定情報」、「バディ年齢」および「バディ性別」などを含む情報である。
【００９１】
判定部４１は、ユーザプロファイル管理部３３が記憶するユーザプロファイル情報を参照し、ルール保持部４２が記憶する判定ルールに合致するプレゼンティティを特定するとともに、特定したプレゼンティティのプレゼンスリストをプレゼンスリスト管理部から取得して、流行情報の判定を行う。
【００９２】
例えば、ルール保持部４２が記憶する判定ルールが、ウォッチャと同世代のバディの過半数が参照している情報を流行情報と判定するというルールである場合、判定部４１は、ウォッチャと同世代の「バディ年齢」を有するプレゼンティティを特定し、各プレゼンティティのプレゼンス情報を参照し、さらにプレゼンティティの過半数が参照している情報がある場合に、流行情報と判定する。
【００９３】
以上に説明したように、上記の第５の実施の形態によれば、第１の実施の形態から第４の実施の形態による効果に加えて、流行情報の判定をプレゼンティティの特性を考慮したルールに基づいて行うことができる。
【００９４】
なお、上記の各実施の形態では、プレゼンティティと受信者端末とが異なる端末である場合を例示したが、同一の端末であってもよい。また、受信者端末がメディアを管理するとともに、ウォッチャとバディが同一ユーザであってもよく、他のプレゼンティティと同様に、ウォッチャ自身をバディとして管理してもよい。その場合には、メディア状態監視部が監視して状態発行部が出力するプレゼンス情報であってウォッチャ自身のプレゼンス情報を、受信者端末内部で取得してもよい。
【産業上の利用可能性】
【００９５】
本発明は、選択されたメンバーで構成されるグループ内での状態の傾向をサービス享受者に提供するために効果的に適用できる。
【図面の簡単な説明】
【００９６】
【図１】本発明による流行情報通知システムの第１の実施の形態を示すブロック図である。
【図２】プレゼンス情報の例を示す説明図である。
【図３】プレゼンスリストの例を示す説明図である。
【図４】サーバ集中管理方式による流行情報通知システムの構成例を示すブロック図である。
【図５】個別プレゼンスリストの例を示す説明図である。
【図６】サーバ集中管理方式による流行情報通知システムの他の構成例を示すブロック図である。
【図７】分散管理方式による流行情報通知システムの構成例を示すブロック図である。
【図８】メディアおよびプレゼンティティが複数ある場合における流行情報通知システムの構成例を示すブロック図である。
【図９】本発明による流行情報通知システムの第２の実施の形態を示すブロック図である。
【図１０】本発明による流行情報通知システムの第３の実施の形態を示すブロック図である。
【図１１】本発明による流行情報通知システムの第４の実施の形態を示すブロック図である。
【図１２】本発明による流行情報通知システムの第４の実施の形態を示すブロック図である。
【符号の説明】
【００９７】
１０  メディア
２０  情報提供者端末（プレゼンティティ）
２１  メディア状態監視部
２２  状態発行部
３０  プレゼンスサービス部
３１  プレゼンス情報管理部
３２  プレゼンスリスト管理部
４０  流行情報監視手段
４１  判定部
４２  ルール保持部
４３  通知部
５０  受信者端末（ウォッチャ）
【図１】
2006285383.tif 000003
【図２】
2006285383.tif 000004
【図３】
2006285383.tif 000005
【図４】
2006285383.tif 000006
【図５】
2006285383.tif 000007
【図６】
2006285383.tif 000008
【図７】
2006285383.tif 000009
【図８】
2006285383.tif 000010
【図９】
2006285383.tif 000011
【図１０】
2006285383.tif 000012
【図１１】
2006285383.tif 000013
【図１２】
2006285383.tif 000014
【手続補正書】
【提出日】平成18年3月29日(2006.3.29)
【手続補正１】
【補正対象書類名】特許請求の範囲
【補正対象項目名】請求項１
【補正方法】変更
【補正の内容】
【請求項１】
情報提供者の状態の傾向を判定し、判定結果を監視者端末に通知する流行情報通知システムであって、
指定された情報提供者を示す情報を予め記憶する被監視者情報記憶手段と、
情報提供者の状態を示す情報を含む状態情報を作成する状態情報作成手段と、
前記被監視者情報記憶手段に記憶されている情報提供者に対応させて前記状態情報作成手段が作成した状態情報を記憶する状態情報管理手段と、
予め判定規則を記憶し、前記状態情報管理手段に記憶されている状態情報が判定規則に合致するか否かを判定する流行情報判定手段と、
前記流行情報判定手段が合致すると判定した場合に、状態情報を情報提供者の状態の傾向を示す流行情報として前記監視者端末に出力する通知手段と
を備えたことを特徴とする流行情報通知システム。
【手続補正２】
【補正対象書類名】特許請求の範囲
【補正対象項目名】請求項２
【補正方法】変更
【補正の内容】
【請求項２】
被監視者情報記憶手段は、監視者を示す情報と情報提供者を示す情報とを対応付けて予め記憶し、
流行情報判定手段は、監視者に対応する情報提供者の状態情報を対象として判定する
請求項１記載の流行情報通知システム。
【手続補正３】
【補正対象書類名】特許請求の範囲
【補正対象項目名】請求項６
【補正方法】変更
【補正の内容】
【請求項６】
情報提供者に関する情報を管理する被監視者情報管理手段を備え、
前記被監視者情報管理手段は、情報提供者の特性を示す情報を記憶し、
流行情報判定手段は、情報提供者の特性を示す情報と判定規則とに基づいて、状態情報を抽出して判定する
請求項１から請求項４のうちいずれかに記載の流行情報通知システム。
【手続補正４】
【補正対象書類名】特許請求の範囲
【補正対象項目名】請求項７
【補正方法】変更
【補正の内容】
【請求項７】
情報提供者の状態の傾向を判定し、判定結果を監視者端末に通知する流行情報通知方法であって、
指定された情報提供者を示す情報を予め記憶し、
情報提供者の状態を示す情報を含む状態情報を作成し、
情報提供者に対応させて前記状態情報を記憶し、
予め判定規則を記憶し、前記状態情報が判定規則に合致するか否かを判定し、
前記流行情報判定手段が合致すると判定した場合に、状態情報を情報提供者の状態の傾向を示す流行情報として監視者端末に出力する
ことを特徴とする流行情報通知方法。
【手続補正５】
【補正対象書類名】明細書
【補正対象項目名】０００２
【補正方法】変更
【補正の内容】
【０００２】
ユーザの状態情報（プレゼンス情報）を管理するプレゼンスシステムが知られている。プレゼンスシステムは、プレゼンス情報を作成するプレゼンティティと、プレゼンス情報を管理するプレゼンスサービス部と、ウォッチャと呼ばれる状態監視者がプレゼンス情報を受信する受信者端末とを含む。
【手続補正６】
【補正対象書類名】明細書
【補正対象項目名】０００９
【補正方法】変更
【補正の内容】
【０００９】
本発明による流行情報通知システムは、情報提供者の状態の傾向（例えば、嗜好）を判定し、判定結果を監視者端末に通知する流行情報通知システムであって、指定された情報提供者を示す情報を予め記憶する被監視者情報記憶手段と、情報提供者の状態を示す情報（例えば、嗜好や嗜好を把握可能な情報）を含む状態情報を作成する状態情報作成手段と、被監視者情報記憶手段に記憶されている情報提供者に対応させて状態情報作成手段が作成した状態情報を記憶する状態情報管理手段と、予め判定規則を記憶し、状態情報管理手段に記憶されている状態情報が判定規則に合致するか否かを判定する流行情報判定手段と、流行情報判定手段が合致すると判定した場合に、状態情報を情報提供者の状態の傾向を示す流行情報として監視者端末に出力する通知手段とを備えたことを特徴とする。
【手続補正７】
【補正対象書類名】明細書
【補正対象項目名】００１０
【補正方法】変更
【補正の内容】
【００１０】
被監視者情報記憶手段は、監視者を示す情報と情報提供者を示す情報とを対応付けて予め記憶し、流行情報判定手段は、監視者に対応する情報提供者の状態情報を対象として判定してもよい。そのような構成によれば、各ウォッチャが指定するバディのプレゼンス情報に基づいて、バディの活動の傾向を求め、ウォッチャに通知することにより、指定したバディで構成されるグループ内での状態の傾向をすばやく提供することができる。
【手続補正８】
【補正対象書類名】明細書
【補正対象項目名】００１４
【補正方法】変更
【補正の内容】
【００１４】
情報提供者に関する情報を管理する被監視者情報管理手段を備え、被監視者情報管理手段は、情報提供者の特性を示す情報を記憶し、流行情報判定手段は、情報提供者の特性を示す情報と判定規則とに基づいて、状態情報を抽出して判定してもよい。そのような構成によれば、流行情報の判定をプレゼンティティの特性を考慮したルールに基づいて行うことができる。
【手続補正９】
【補正対象書類名】明細書
【補正対象項目名】００１５
【補正方法】変更
【補正の内容】
【００１５】
本発明による流行情報通知方法は、情報提供者の状態の傾向を判定し、判定結果を監視者端末に通知する流行情報通知方法であって、指定された情報提供者を示す情報を予め記憶し、情報提供者の状態を示す情報を含む状態情報を作成し、情報提供者に対応させて状態情報を記憶し、予め判定規則を記憶し、状態情報が判定規則に合致するか否かを判定し、流行情報判定手段が合致すると判定した場合に、状態情報を情報提供者の状態の傾向を示す流行情報として監視者端末に出力することを特徴とする。